(57)【特許請求の範囲】
【請求項１】
防護ネットと、
前記防護ネットの周縁部に取り付けられたロープと、
前記ロープが巻き付けられて前記防護ネットを支持する複数の支持部材と、
前記複数の支持部材に取り付けられ、前記防護ネットを支持する際の支持位置に前記複数の支持部材を位置決め可能なフレーム部材と、
を備え、
前記複数の支持部材は、前記フレーム部材の取り付け位置とは反対側の面が防護対象物の周囲に設置された枠体に固定されることを特徴とする防護ネットユニット。
【請求項２】
前記フレーム部材は、前記複数の支持部材の前記枠体への固定後に、前記複数の支持部材から取り外し可能であることを特徴とする請求項１に記載の防護ネットユニット。
【請求項３】
前記防護ネットは、複数が積層して配置されることを特徴とする請求項１または２に記載の防護ネットユニット。
【請求項４】
前記ロープは、前記複数の防護ネットの一枚ごとに複数取り付けられていることを特徴とする請求項３に記載の防護ネットユニット。
【請求項５】
前記ロープは、一端がターンバックルに連結されており、
前記ターンバックルは、前記複数の防護ネットの積層方向からみた場合、連結されている前記ロープと前記積層方向において隣り合う前記ロープに連結されている他の前記ターンバックルと重ならない位置に配置されることを特徴とする請求項３または４に記載の防護ネットユニット。
【請求項６】
前記ターンバックルは、前記複数の防護ネットのうち積層順において奇数番目に配置されるものと偶数番目に配置されるものとで、前記積層方向からみて異なる位置に配置されることを特徴とする請求項５に記載の防護ネットユニット。
【請求項７】
前記ロープは、他端が締結具により前記ロープ自身に締結されており、
前記締結具は、前記複数の防護ネットの積層方向からみた場合、締結されている前記ロープと前記積層方向において隣り合う前記ロープに締結されている他の前記締結具と少なくとも一部が重ならない位置に配置されることを特徴とする請求項５または６に記載の防護ネットユニット。
【請求項８】
前記防護ネットユニットは、前記枠体に沿って複数が並んで配置され、
前記複数の支持部材の一部には、補強部材が取り付けられ、
前記補強部材は、隣り合う前記防護ネットユニット同士の間に位置する前記枠体に固定されることを特徴とする請求項１から７の何れか一項に記載の防護ネットユニット。
【請求項９】
請求項１から８の何れか一項に記載の防護ネットユニットと、前記防護ネットにより少なくとも一部が覆われる防護対象物と、前記防護対象物の周囲に設置されると共に前記複数の支持部材が固定される枠体と、を備えることを特徴とするプラント設備。
【請求項１０】
請求項１から８の何れか一項に記載の防護ネットユニットを防護対象物の周囲に設置された枠体に設置する防護ネットユニットの設置方法であって、
前記複数の支持部材に前記フレーム部材を取り付けて前記複数の支持部材を前記支持位置に位置決めし、前記複数の支持部材に前記ロープを巻き付けて前記防護ネット、前記ロープ、前記複数の支持部材および前記フレーム部材を防護ネットユニットとして組み付ける組み付け工程と、
前記組み付け工程の後に、前記フレーム部材の取り付け位置とは反対側から前記複数の支持部材を前記枠体に固定する固定工程と、
を備えることを特徴とする防護ネットユニットの設置方法。
【発明の詳細な説明】
【技術分野】
【０００１】
本発明は、防護ネットユニット、プラント設備、および防護ネットユニットの設置方法に関する。
【背景技術】
【０００２】
従来、防護対象物を覆う防護ネットを当該防護対象物の周囲に設置するための様々な技術が知られている。例えば、特許文献１には、防護対象物の周囲に設置された枠体に設けられた複数の支持部に、膜状部材（防護ネット）の周縁部に取り付けられた線状部材（ロープ）を巻き付けることにより、複数の支持部を介して枠体により膜状部材を支持する支持構造が開示されている。また、特許文献２には、金網を主要構成要素とするパネル面と、パネル面の少なくとも一つの側縁に設けられた着脱自在の連結部とを有するユニットとして構成され、連結部を介して他のユニットと組み合わすことにより金網構造物を構成する金網パネルユニットが開示されている。
【先行技術文献】
【特許文献】
【０００３】
【特許文献１】特開２０１５−１６３７６１号公報
【特許文献２】実開昭６４−５７３６６号公報
【発明の概要】
【発明が解決しようとする課題】
【０００４】
しかしながら、上記特許文献１に開示された防護ネットの支持構造では、防護対象物の周囲に設置された枠体に複数の支持部を設けた上で、当該複数の支持部に対して防護ネットに取り付けられたロープを巻き付ける作業が必要となり、現地での作業負担が大きい。また、防護ネットの設置作業に際して、枠体の外側および内側の双方に作業用足場を設けると共に、防護対象物の養生を行う必要があるため、作業期間も多くなってしまう。また、特許文献２に記載された金網パネルユニットは、例えばペット用ケージ等の小型の金網構造物について、一般消費者が使用目的や好みにあわせて簡単に組み立てや分解移転、組みかえ、修理を可能とすることを目的とするものである。このため、プラント設備に含まれるような比較的大きな防護対象物を防護するための大型の金網構造物に特許文献２の技術を適用することは、困難である。
【０００５】
本発明は、上記に鑑みてなされたものであって、比較的大きな防護対象物を防護するための防護ネットの設置作業の簡易化および作業期間の削減を図ることを目的とする。
【課題を解決するための手段】
【０００６】
上述した課題を解決し、目的を達成するために、本発明の防護ネットユニットは、防護ネットと、前記防護ネットの周縁部に取り付けられたロープと、前記ロープが巻き付けられて前記防護ネットを支持する複数の支持部材と、前記複数の支持部材に取り付けられ、前記防護ネットを支持する際の支持位置に前記複数の支持部材を位置決め可能なフレーム部材と、を備え、前記複数の支持部材は、前記フレーム部材の取り付け位置とは反対側の面が防護対象物の周囲に設置された枠体に固定されることを特徴とする。
【０００７】
本発明の防護ネットユニットでは、防護ネットを支持する際の支持位置に複数の支持部材を位置決めするフレーム部材が当該複数の支持部材に取り付けられ、複数の支持部材のフレーム部材の取り付け位置とは反対側の面が防護対象物の周囲に設置された枠体に固定される。これにより、複数の支持部材を防護対象物の周囲に設置された枠体に固定する前に、すなわち防護ネットの枠体への設置作業とは別個の作業において、防護ネットの周縁部に取り付けられたロープを複数の支持部材に巻き付けて、防護ネット、ロープ、複数の支持部材およびフレーム部材を防護ネットユニットとして組み付けることができる。この結果、防護ネットユニットを枠体に取り付ける現地作業としては、複数の支持部材を枠体に固定する作業のみとなるため、現地での作業負担を軽減することができる。また、複数の支持部材をフレーム部材の取り付け位置とは反対側の面で枠体に固定することで、現地では枠体の外側での作業のみとすることができるため、枠体の内側における作業用足場の設置・解体作業、および防護対象物の養生作業を省略することが可能となる。従って、本発明の防護ネットユニットによれば、比較的大きな防護対象物を防護するための防護ネットの設置作業の簡易化および作業期間の削減を図ることが可能となる。
【０００８】
また、前記フレーム部材は、前記複数の支持部材の前記枠体への固定後に、前記複数の支持部材から取り外し可能であることが好ましい。これにより、枠体に設置された防護ネットユニットの重量を低減させることができる。
【０００９】
また、前記防護ネットは、複数が積層して配置されることが好ましい。このように、複数の防護ネットを用いる場合にも、本発明の防護ネットユニットでは、現地での作業負担を軽減することができるため、防護ネットの設置作業の簡易化および作業期間の削減を図ることができる。
【００１０】
また、前記ロープは、前記複数の防護ネットの一枚ごとに複数取り付けられていることが好ましい。このように、複数の防護ネットの一枚ごとに複数のロープが取り付けられている場合にも、本発明の防護ネットユニットでは、現地での作業負担を軽減することができるため、防護ネットの設置作業の簡易化および作業期間の削減を図ることができる。
【００１１】
また、前記ロープは、一端がターンバックルに連結されており、前記ターンバックルは、前記複数の防護ネットの積層方向からみた場合、連結されている前記ロープと前記積層方向において隣り合う前記ロープに連結されている他の前記ターンバックルと重ならない位置に配置されることが好ましい。これにより、防護ネットの積層方向からみてターンバックルが重なることで、その部分の厚みが増加してフレーム部材と干渉してしまうのを抑制することができるため、防護ネット、ロープ、複数の支持部材およびフレーム部材の組み付け作業を容易に行うことが可能となる。
【００１２】
また、前記ターンバックルは、前記複数の防護ネットのうち積層順において奇数番目に配置されるものと偶数番目に配置されるものとで、前記積層方向からみて異なる位置に配置されることが好ましい。これにより、各ロープに連結された各ターンバックルを複数の防護ネットの積層方向からみて重ならない位置に容易に配置することができる。
【００１３】
また、前記ロープは、他端が締結具により前記ロープ自身に締結されており、前記締結具は、前記複数の防護ネットの積層方向からみた場合、締結されている前記ロープと前記積層方向において隣り合う前記ロープに締結されている他の前記締結具と少なくとも一部が重ならない位置に配置されることが好ましい。これにより、防護ネットの積層方向からみて締結具が重なることで、その部分の厚みが増加してフレーム部材と干渉してしまうのを抑制することができる。
【００１４】
また、前記防護ネットユニットは、複数が並んで前記枠体に固定され、前記複数の支持部材の一部には、補強部材が取り付けられ、前記補強部材は、隣り合う前記防護ネットユニット同士の間に位置する前記枠体に固定されることが好ましい。これにより、隣り合う防護ネットユニットの間に位置して比較的大きな負荷がかかる枠体を補強部材によって良好に補強することができる。
【００１５】
上述した課題を解決し、目的を達成するために、本発明のプラント設備は、本発明の防護ネットユニットと、前記防護ネットにより少なくとも一部が覆われる防護対象物と、前記防護対象物の周囲に設置されると共に前記複数の支持部材が固定される枠体と、を備えることを特徴とする。
【００１６】
上述した課題を解決し、目的を達成するために、本発明は、本発明の防護ネットユニットを防護対象物の周囲に設置された枠体に設置する防護ネットユニットの設置方法であって、前記複数の支持部材に前記フレーム部材を取り付けて前記複数の支持部材を前記支持位置に位置決めし、前記複数の支持部材に前記ロープを巻き付けて前記防護ネット、前記ロープ、前記複数の支持部材および前記フレーム部材を前記防護ネットユニットとして組み付ける組み付け工程と、前記組み付け工程の後に、前記フレーム部材の取り付け位置とは反対側から前記複数の支持部材を前記枠体に固定する固定工程と、を備えることを特徴とする。
【発明の効果】
【００１７】
本発明にかかる防護ネットユニット、プラント設備、および防護ネットユニットの設置方法は、比較的大きな防護対象物を防護するための防護ネットの設置作業の簡易化および作業期間の削減を図ることができるという効果を奏する。
【図面の簡単な説明】
【００１８】
【図１】図１は、実施形態にかかるプラント設備の要部を示す説明図である。
【図２】図２は、実施形態にかかる防護ネットユニットを示す説明図である。
【図３】図３は、防護ネットユニットの組み付け工程を示す説明図である。
【図４】図４は、防護ネットユニットの組み付け工程を示す説明図である。
【図５】図５は、防護ネットユニットの組み付け工程を示す説明図である。
【図６】図６は、防護ネットユニットの組み付け工程を示す説明図である。
【図７】図７は、組み付けられた防護ネットユニットを枠体に固定した状態を示す説明図である。
【図８】図８は、複数のワイヤロープの防護ネットおよび支持部材への取り付け構造を示す説明図である。
【図９】図９は、複数のワイヤロープの防護ネットおよび支持部材への取り付け構造を示す説明図である。
【図１０】図１０は、複数のワイヤロープの防護ネットおよび支持部材への取り付け構造を示す説明図である。
【図１１】図１１は、複数のワイヤロープの防護ネットおよび支持部材への取り付け構造を示す説明図である。
【図１２】図１２は、積層順において奇数枚目に位置する防護ネットを示す説明図である。
【図１３】図１３は、積層順において偶数枚目に位置する防護ネットを示す説明図である。
【図１４】図１４は、比較例としての防護ネットを示す斜視図である。
【図１５】図１５は、防護ネットユニットの組み付けから設置までの作業工程および作業期間の一例を示す説明図である。
【図１６】図１６は、比較例としての防護ネットの設置までの作業工程および作業期間の一例を示す説明図である。
【発明を実施するための形態】
【００１９】
以下に、本発明にかかる防護ネットユニット、プラント設備、および防護ネットユニットの設置方法の実施形態を図面に基づいて詳細に説明する。なお、この実施形態によりこの発明が限定されるものではない。
【００２０】
図１は、本発明の実施形態にかかるプラント設備１の要部を示す説明図である。プラント設備１は、例えば原子力発電所や再処理工場といった設備であり、図１に示すように、防護対象物２と、防護対象物２の周囲を囲む枠体３と、防護対象物２の一部を覆う複数の防護ネット２０を含む複数の防護ネットユニット１０とを備える。
【００２１】
防護対象物２は、例えばポンプといった比較的大きな設備であり、建屋外に配置される。枠体３は、例えばＨ型鋼やＩ型鋼，山形鋼，溝形鋼などの複数の鉄骨を防護対象物２の周囲で組み付けたものである。複数の防護ネットユニット１０は、複数が並んで枠体３に固定されている。本実施形態では、複数の防護ネットユニット１０を防護対象物２の側方に位置する枠体３に固定する。なお、防護ネットユニット１０は、防護対象物２の上方に位置する枠体３に固定されてもよい。複数の防護ネットユニット１０は、各防護ネット２０によって、例えば竜巻に起因して飛来してくる鉄骨等の飛来物から防護対象物２を防護するものである。
【００２２】
図２は、実施形態にかかる防護ネットユニット１０を示す説明図である。図中左側の図は、防護ネットユニット１０を示す正面図であり、図中右側の図は、防護ネットユニット１０を示す側面図である。防護ネットユニット１０は、上記複数の防護ネット２０と、複数の防護ネット２０の一枚ごとに取り付けられた複数のワイヤロープ３０と、複数のワイヤロープ３０が巻き付けられ、当該複数のワイヤロープ３０を介して防護ネット２０を支持する複数（本実施形態では、４つ）の支持部材４０と、補強部材５０とを有する。
【００２３】
防護ネット２０は、例えばステンレス鋼や鉄などの金属材料により構成された金網であり、防護対象物２の側部に張り巡らされて当該防護対象物２を飛来物から防護する。なお、防護ネット２０は、合成樹脂繊維や天然繊維などの繊維網であってもよい。防護ネット２０は、図２に示すように、長方形状に形成されており、四隅の角部に四角形状の切欠き２０ａが形成されている。切欠き２０ａが形成された位置には、各支持部材４０が配置される。防護ネット２０は、本実施形態では、一つの防護ネットユニット１０ごとに５つが積層されて配置されている。なお、防護ネット２０の積層数は、５つに限られず、防護ネットユニット１０ごとに少なくとも１つあればよい。また、防護ネット２０は、正方形状に形成されると共に四隅の角部に四角形状の切欠き２０ａが形成されるものであってもよい。また、切欠き２０ａは、円弧状に形成されてもよい。
【００２４】
複数のワイヤロープ３０は、例えば硬鋼線やステンレス鋼線、ピアノ線などによって構成される。各ワイヤロープ３０は、防護ネット２０の周縁部の一部に縫い付けられており、防護ネット２０の四隅の角部に配置された各支持部材４０の一部に巻き付けられる。ワイヤロープ３０は、防護ネット２０の一枚ごとに４本ずつ取り付けられている。なお、ワイヤロープ３０は、防護ネット２０の一枚ごとに少なくとも１本ずつ取り付けられればよい。
【００２５】
支持部材４０は、断面正方形状の基板部４１と、基板部４１に設けられると共に外周面にワイヤロープ３０が巻き付けられる円柱状の柱状部４２と、柱状部４２の基板部４１とは反対側の端面に固定された断面円形状の抑え板部４３とを有する。なお、支持部材４０の基板部４１は、断面長方形状でもよいし、断面多角形状でもよいし、断面円形状でもよい。柱状部４２は、角柱状でもよい。抑え板部４３は、断面多角形状でもよい。
【００２６】
支持部材４０の基板部４１は、枠体３に溶接によって固定される。このように、基板部４１を枠体３に溶接により固定することで、複数の支持部材４０を介して防護ネットユニット１０を枠体３に強固に固定することができる。また、支持部材４０を枠体３に複数の締結具を用いて固定する場合に比べて、作業工程および部品点数の増加を抑制することができる。なお、防護ネットユニット１０の枠体３への設置作業の詳細については、後述する。
【００２７】
支持部材４０の柱状部４２は、柱状部４２の軸方向に沿って間隔を空けて形成されると共に、外周面から突出する複数のセパレータ４４を有する。各セパレータ４４は、板状に形成される。各セパレータ４４は、柱状部４２の外周面を軸方向において６つの範囲に区分けする。複数のワイヤロープ３０は、複数の防護ネット２０の一枚ごとに、複数のセパレータ４４によって軸方向において複数に区分けされた柱状部４２の外周面の各範囲に別々に巻き付けられる。これにより、複数の防護ネット２０間でワイヤロープ３０同士が相互干渉することを防止して、ワイヤロープ３０ひいては防護ネット２０に適正な張力を働かせることができる。
【００２８】
次に、防護ネットユニット１０の枠体３への設置方法について、当該防護ネットユニット１０の組み付け工程から枠体３への固定工程までの一連の工程に従って説明していく。図３から図６は、防護ネットユニット１０の組み付け工程を示す説明図であり、図７は、組み付けられた防護ネットユニット１０を枠体３に固定した状態を示す説明図である。図３から図６において、上側の図は、平面図を示し、下側の図は、側面図を示す。また、図７において、上側の図は、側面図を示し、下側の図は、平面図を示す。
【００２９】
防護ネットユニット１０の組み付け工程は、プラント設備１内における防護対象物２の配置位置とは別の施設にて行われる。防護ネットユニット１０の組み付け工程では、まず、図３に示すように、４つの支持部材４０を支持基台１００上に載置し、支持部材４０の基板部４１と支持基台１００とをクランプ７０を用いて固定する。支持基台１００は、例えばＨ型鋼を２段に重ねたものである。
【００３０】
次に、図４に示すように、複数の支持部材４０の抑え板部４３にフレーム部材６０を取り付ける。フレーム部材６０は、四角形状の枠体として形成され、図示しない複数のボルトおよびナットにより、支持部材４０の抑え板部４３に着脱可能に締結される。これにより、複数の支持部材４０がフレーム部材６０によって防護ネット２０を支持する際の支持位置に位置決めされる。
【００３１】
複数の支持部材４０をフレーム部材６０により支持位置に位置決めした後、図５に示すように、各防護ネット２０を４つの支持部材４０の内側に配置すると共に、各防護ネット２０に取り付けられた各ワイヤロープ３０を複数の支持部材４０に巻き付けていく。ここで、図８から図１１は、各ワイヤロープ３０の防護ネット２０および支持部材４０への取り付け構造を示す説明図である。図８から図１１は、上下左右方向がすべて同一である。また、図８から図１１においては、支持部材４０の構成要素のうち、複数のワイヤロープ３０が巻き付けられる柱状部４２のみを記載する。また、図８から図１１の説明においては、図８に示すワイヤロープ３０を第１ワイヤロープ３１、図９に示すワイヤロープ３０を第２ワイヤロープ３２、図１０に示すワイヤロープ３０を第３ワイヤロープ３３、図１１に示すワイヤロープ３０を第４ワイヤロープ３４という。
【００３２】
第１ワイヤロープ３１は、防護ネット２０の図８における下側の短辺２１、図８における右側の長辺２２、および図８における左上の切欠き２０ａの下側の辺２０ｂに縫い付けられる。第１ワイヤロープ３１は、防護ネット２０の四隅に配置された各支持部材４０すべての柱状部４２に巻き付けられる。第１ワイヤロープ３１の一端３１ａは、ターンバックル７１に取り付けられる。ターンバックル７１は、図８における左上の支持部材４０から所定の距離だけオフセットされた位置に配置される。また、第１ワイヤロープ３１の他端３１ｂは、複数の締結具（ワイヤグリップ）８１によって第１ワイヤロープ３１自身に締結される。複数の締結具８１は、図８における右上の支持部材４０から所定の距離だけオフセットされた位置に配置される。
【００３３】
第２ワイヤロープ３２は、防護ネット２０の図９における右上の切欠き２０ａの下側の辺２０ｂに縫い付けられる。第２ワイヤロープ３２は、図９における右上および左上に配置された支持部材４０の柱状部４２に巻き付けられる。第２ワイヤロープ３２の一端３２ａは、上記ターンバックル７１に取り付けられる。また、第２ワイヤロープ３２の他端３２ｂは、複数の締結具８２によって第２ワイヤロープ３２自身に締結される。これにより、第１ワイヤロープ３１および第２ワイヤロープ３２は、ターンバックル７１を介して連結されると共に、防護ネット２０および支持部材４０に対して固定される。複数の締結具８２は、図９における左上の支持部材４０から所定の距離だけオフセットされた位置に配置される。また、複数の締結具８２は、複数の締結具８１に対して図８および図９における上側にオフセットされた位置に配置される。
【００３４】
第３ワイヤロープ３３は、防護ネット２０の図１０における上側の短辺２３、図１０における左側の長辺２４、および図１０における右下の切欠き２０ａの上側の辺２０ｂに縫い付けられる。第３ワイヤロープ３３は、防護ネット２０の四隅に配置された各支持部材４０すべての柱状部４２に巻き付けられる。第３ワイヤロープ３３の一端３３ａは、ターンバックル７２に取り付けられる。ターンバックル７２は、図１０における右下の支持部材４０から所定の距離だけオフセットされた位置に配置される。また、第３ワイヤロープ３３の他端３３ｂは、複数の締結具８３によって第３ワイヤロープ３３自身に締結される。複数の締結具８３は、図１０における左下の支持部材４０から所定の距離だけオフセットされた位置に配置される。
【００３５】
第４ワイヤロープ３４は、防護ネット２０の図１１における左下の切欠き２０ａの上側の辺２０ｂに縫い付けられる。第４ワイヤロープ３４は、図１１における右下および左下に配置された支持部材４０の柱状部４２に巻き付けられる。第４ワイヤロープ３４の一端３４ａは、上記ターンバックル７２に取り付けられる。また、第４ワイヤロープ３４の他端３４ｂは、複数の締結具８４によって第４ワイヤロープ３４自身に締結される。これにより、第３ワイヤロープ３３および第４ワイヤロープ３４は、ターンバックル７２を介して連結されると共に、防護ネット２０に対して固定される。複数の締結具８４は、図１１における右下の支持部材４０から所定の距離だけオフセットされた位置に配置される。また、複数の締結具８４は、複数の締結具８３に対して図１０および図１１における下側にオフセットされた位置に配置される。
【００３６】
このように、本実施形態の防護ネットユニット１０では、ターンバックル７１およびターンバックル７２、ならびに複数の締結具８１、８２、８３および８４の取り付け位置を支持部材４０からの距離で決定する。これにより、防護ネットユニット１０ごとに、防護ネット２０のサイズが変更されたとしても、ターンバックル７１およびターンバックル７２、ならびに複数の締結具８１、８２、８３および８４の取り付け位置を間違えることを防止することができる。
【００３７】
ここで、図１２は、積層順において奇数枚目の防護ネット２０を示す説明図であり、図１３は、積層順において偶数枚目の防護ネット２０を示す説明図である。図示するように、各防護ネット２０は、積層順において奇数枚目の防護ネット２０と、偶数枚目の防護ネット２０とで、図１２および図１３における左右関係が逆になるように積層される。この結果、ターンバックル７１およびターンバックル７２が防護ネット２０の積層方向からみて異なる位置に配置されることになる。すなわち、ターンバックル７１およびターンバックル７２は、複数の防護ネット２０の積層方向からみた場合、連結されているワイヤロープ３０と当該積層方向において隣り合うワイヤロープ３０に連結されている他のターンバックル７１およびターンバックル７２と重ならない位置に配置される。
【００３８】
また、積層順において奇数枚目に配置される防護ネット２０は、複数の締結具８２が複数の締結具８１に対して図中上側にオフセットされて配置されると共に、複数の締結具８４が複数の締結具８３に対して図中下側にオフセットされて配置される。一方、積層順において偶数枚目に配置される防護ネット２０は、複数の締結具８１が複数の締結具８２に対して図中上側にオフセットされて配置されると共に、複数の締結具８３が複数の締結具８４に対して図中下側にオフセットされて配置される。これにより、複数の締結具８１、８２、８３および８４は、複数の防護ネット２０の積層方向からみた場合、締結されているワイヤロープ３０と積層方向において隣り合うワイヤロープ３０に締結されている他の複数の締結具８１、８２、８３および８４と、一部が重ならない位置に配置される。
【００３９】
図１４は、比較例としての防護ネットユニット１０Ｂを示す説明図である。防護ネットユニット１０Ｂは、ワイヤロープ３０の一端に連結されたターンバックル７１（またはターンバックル７２）が防護ネット２０の積層方向からみて重なって配置される。この結果、複数の防護ネット２０の厚みＨ１よりもターンバックル７１（またはターンバックル７２）が重なった部分の厚みＨ２が大きくなってしまい、複数の支持部材４０にフレーム部材６０を取り付けられないおそれがある。
【００４０】
本実施形態の防護ネットユニット１０では、複数の防護ネット２０のうち連続して積層される２つにおいて、各ワイヤロープ３０に連結された各ターンバックル７１および各ターンバックル７２を複数の防護ネット２０の積層方向からみて重ならない位置に配置することができる。これにより、防護ネットユニット１０の厚みＨ１よりも大きな厚みを有する部分を形成しないようにして、複数の支持部材４０にフレーム部材６０を容易に取り付けることが可能となる。
【００４１】
また、本実施形態の防護ネットユニット１０では、複数の防護ネット２０のうち連続して積層される２つにおいて、各ワイヤロープ３０を締結する複数の締結具８１、８２、８３および８４を複数の防護ネット２０の積層方向からみて一部が重ならない位置に配置することができる。これによっても、防護ネットユニット１０の厚みＨ１よりも大きな厚みを有する部分を形成しないようにして、複数の支持部材４０にフレーム部材６０を容易に取り付けることが可能となる。
【００４２】
次に、図６に示すように、４つの支持部材４０の一部に、補強部材５０を固定する。補強部材５０は、本実施形態では、例えば鉄骨により板状に形成されており、４つの支持部材４０のうち、防護ネット２０の一つの短辺２１に沿って並ぶ２つの基板部４１の端面に、溶接により固定される。なお、補強部材５０は、断面Ｔ字状等に形成されてもよい。また、補強部材５０は、支持部材４０の基板部４１に複数のボルトおよび複数のナットを用いて締結されて固定されるものであってもよい。
【００４３】
このようにして防護ネットユニット１０を組み付けた後、防護ネットユニット１０を防護対象物２の近辺まで搬送し、防護対象物２の周囲に設置された枠体３に固定する固定工程を行う。図７に示すように、防護ネットユニット１０は、複数の支持部材４０のフレーム部材６０の取り付け位置とは反対側の面が枠体３に溶接により固定される。また、図１に示すように、複数の防護ネットユニット１０のうち、鉛直方向（図１における上下方向）の上下において隣り合うもの同士の間に位置する枠体３に、補強部材５０が溶接により固定される。これにより、比較的大きな負荷がかかる枠体３の中間部材を補強部材５０によって良好に補強することが可能となる。
【００４４】
防護ネットユニット１０を枠体３に固定した後は、図１および図２に示すように、フレーム部材６０を複数の支持部材４０から取り外す。これにより、防護ネットユニット１０の重量を低減し、枠体３にかかる負荷を低減することができる。なお、枠体３にかかる負荷を低減する必要がない場合には、フレーム部材６０を複数の支持部材４０に取り付けたままにしておいてもよい。また、フレーム部材６０を取り外した後に、フレーム部材６０よりも重量の軽い別の補強部材を複数の支持部材４０に取り付けてもよい。
【００４５】
このように、本実施形態の防護ネットユニット１０では、フレーム部材６０によって複数の支持部材４０を支持位置に位置決めすることで、複数の支持部材４０を防護対象物２の周囲に設置された枠体３に固定する前に、防護ネット２０に取り付けられた各ワイヤロープ３０を複数の支持部材４０に巻き付ける作業を行うことができる。すなわち、防護ネット２０の枠体３への設置作業とは別個の作業において、防護ネット２０、ワイヤロープ３０、複数の支持部材４０およびフレーム部材６０を防護ネットユニット１０として組み付けることができる（パネル化することができる）。
【００４６】
この結果、防護ネットユニット２０を枠体３に取り付ける現地作業としては、複数の支持部材４０を枠体３に固定する作業のみとなるため、現地での作業負担を軽減することができる。また、現地での作業スペースを削減することができるため、プラント設備１内において狭いエリアに配置される防護対象物２の周囲にも複数の防護ネットユニット１０を配置することが可能となる。さらに、防護ネットユニット１０の組み付け品質の向上、および組み付け品質の検査精度の向上をも図ることができる。
【００４７】
また、複数の支持部材４０のフレーム部材６０の取り付け位置とは反対側の面を枠体３に固定することで、防護ネットユニット２０を枠体３に取り付ける現地作業としては、枠体３の外側でのみ作業を行うようにすることができる。この結果、枠体３の内側に、防護ネットユニット１０の取り付け作業用の内部足場を組み立てたり、防護ネットユニット１０の取り付けに際して防護対象物２を養生したりする必要がなくなる。
【００４８】
ここで、図１５は、防護ネットユニット１０の組み付けから設置までの作業工程および作業期間の一例を示す説明図であり、図１６は、比較例としての防護ネット２０の設置までの作業工程および作業期間の一例を示す説明図である。図１６は、現地において枠体３に複数の支持部材４０を固定した上で、当該複数の支持部材４０に複数の防護ネット２０を積層しながら、複数の防護ネット２０の一枚ごとに取り付けられた各ワイヤロープ３０を各支持部材４０に巻き付ける場合の作業工程を示す。
【００４９】
図１５に示すように、防護ネットユニット１０の組み付けから設置までの作業工程としては、（１）枠体３に防護ネットユニット１０を取り付けるための外部足場の組み立て工程、（２）防護ネットユニット１０の組み付け工程、（３）防護ネットユニット１０の枠体３への取り付け工程、すなわち複数の支持部材４０の枠体３への固定工程、（４）外部足場の解体工程が必要となる。一方、図１６の比較例としての防護ネット２０の設置までの作業工程としては、（１）枠体３に防護ネット２０を取り付けるための外部足場の組み立て工程、（２）枠体３に防護ネット２０を取り付けるための内部足場の組み立て、および防護対象物２の養生工程、（３）防護ネット２０の枠体３への取り付け工程、（４）内部足場の解体、および防護対象物２の養生撤去工程、（５）外部足場の解体工程が必要となる。
【００５０】
図１５および図１６の（３）ネット取り付け工程の作業期間に示すように、本実施形態の防護ネットユニット１０では、現地で枠体３に複数の支持部材４０を固定した上で、当該複数の支持部材４０に複数の防護ネット２０を積層しながら、一枚ごとに取り付けられた各ワイヤロープ３０を各支持部材４０に巻き付ける場合に比べて、現地作業の作業負担を軽減することができるため、作業期間を削減することが可能となる。
【００５１】
また、本実施形態の防護ネットユニット１０では、上述したように、図１６に示す（２）内部足場組み立ておよび防護対象物２の養生作業、（４）内部足場解体および防護対象物２の養生撤去の工程を省略することができる。さらに、現地で枠体３の外側足場を形成しておく間（図１５に示す（１）の作業期間）に、現地とは別の施設で防護ネットユニット１０の組み付け工程（図１５に示す（２）の作業期間）を行うことができる。一方、図１６に示す比較例の防護ネット２０の設置までの作業工程では、少なくとも（１）外部足場の組み立て工程や、（２）内部足場の組み立て、および防護対象物２の養生工程の一部が終わるまでは、防護ネット２０の取り付け工程の開始を待つ必要がある。
【００５２】
このように、本実施形態の防護ネットユニット１０によれば、図１６に示す比較例に対して、防護ネットユニット１０の設置までの作業期間を削減することが可能となる。また、防護ネットユニット１０の設置までの作業期間を削減することで、高所での作業を少なくすることができるため、作業の安全性をも向上させることができる。
【００５３】
以上説明したように、実施形態にかかるプラント設備１、防護ネットユニット１０、および防護ネットユニット１０の設置方法によれば、比較的大きな防護対象物２を防護するための防護ネットの設置作業の簡易化および作業期間の削減を図ることができる。
【００５４】
また、フレーム部材６０は、複数の支持部材４０の枠体３への固定後に、複数の支持部材４０から取り外し可能である。これにより、枠体３に設置された防護ネットユニット１０の重量を低減させることができる。
【００５５】
また、防護ネット２０は、複数が積層して配置される。このように、複数の防護ネット２０を用いる場合にも、実施形態にかかる防護ネットユニット１０では、現地での作業負担を軽減することができるため、防護ネット２０の設置作業の簡易化および作業期間の削減を図ることができる。
【００５６】
また、ワイヤロープ３０は、複数の防護ネット２０の一枚ごとに複数取り付けられている。このように、複数の防護ネット２０の一枚ごとに複数のワイヤロープ３０が取り付けられている場合にも、実施形態にかかる防護ネットユニット１０では、現地での作業負担を軽減することができるため、防護ネット２０の設置作業の簡易化および作業期間の削減を図ることができる。
【００５７】
また、ワイヤロープ３０は、一端がターンバックル７１またはターンバックル７２に連結されており、ターンバックル７１およびターンバックル７２は、複数の防護ネット２０の積層方向からみた場合、連結されているワイヤロープ３０と積層方向において隣り合うワイヤロープ３０に連結されている他のターンバックル７１およびターンバックル７２と重ならない位置に配置される。これにより、防護ネット２０の積層方向からみてターンバックル７１およびターンバックル７２が重なることで、その部分の厚みが増加してフレーム部材６０と干渉してしまうのを抑制することができるため、防護ネット２０、ワイヤロープ３０、複数の支持部材４０およびフレーム部材６０の組み付け作業を容易に行うことが可能となる。なお、各ワイヤロープ３０に連結された各ターンバックル７１および各ターンバックル７２は、フレーム部材６０を複数の支持部材４０に取り付ける際に当該フレーム部材６０と干渉するおそれがなければ、複数の防護ネット２０の積層方向からみて重なって配置されてもよい。
【００５８】
また、ターンバックル７１およびターンバックル７２は、複数の防護ネット２０のうち積層順において奇数番目に配置されるものと偶数番目に配置されるものとで、積層方向からみて異なる位置に配置される。これにより、ターンバックル７１およびターンバックル７２を複数の防護ネット２０の積層方向からみて重ならない位置に容易に配置することができる。なお、ターンバックル７１およびターンバックル７２は、複数の防護ネット２０のうち積層順において奇数番目に配置されるもの、偶数番目に配置されるものにおいて、同じ位置に配置される必要はなく、各防護ネット２０においてすべて異なる位置に配置されてもよい。
【００５９】
また、ワイヤロープ３０は、他端が複数の締結具８１、８２、８３または８４によりワイヤロープ３０自身に締結されており、複数の締結具８１、８２、８３および８４は、複数の防護ネット２０の積層方向からみた場合、締結されているワイヤロープ３０と上記積層方向において隣り合うワイヤロープ３０に締結されている複数の締結具８１、８２、８３および８４と一部が重ならない位置に配置される。これにより、各締結具８１、８２、８３および８４が防護ネット２０の積層方向からみて重なることで、その部分の厚みが増加してフレーム部材６０と干渉してしまうのを抑制することができる。なお、各締結具８１、８２、８３、および８４は、防護ネット２０の積層方向からみて一部ではなくすべてが重ならない位置に配置されてもよい。また、各締結具８１、８２、８３、および８４は、フレーム部材６０を複数の支持部材４０に取り付ける際に当該フレーム部材６０と干渉するおそれがなければ、防護ネット２０の積層方向からみて重なって配置されてもよい。
【００６０】
なお、ワイヤロープ３０の防護ネット２０および複数の支持部材４０への取り付け構造は、図８から図１１に示すものに限られない。例えば、１本のワイヤロープ３０を防護ネット２０の周縁部に縫い付けると共に、当該ワイヤロープ３０の両端をターンバックルで連結してもよい。この場合にも、各ワイヤロープ３０に連結された各ターンバックルを複数の防護ネット２０の積層方向からみて重ならない位置に配置すれば、ターンバックルとフレーム部材６０とが干渉してしまうのを抑制することができる。
【００６１】
また、防護ネットユニット１０は、複数が並んで枠体３に固定され、複数の支持部材４０の一部には、補強部材５０が取り付けられ、補強部材５０は、隣り合う防護ネットユニット１０同士の間に位置する枠体３に固定される。これにより、枠体３のうち、隣り合う防護ネットユニット１０の間に位置して比較的大きな負荷がかかる部分を補強部材５０によって良好に補強することができる。なお、補強部材５０は、防護ネットユニット１０から省略されてもよい。
【符号の説明】
【００６２】
１  プラント設備
２  防護対象物
３  枠体
１０，１０Ｂ  防護ネットユニット
２０  防護ネット
２０ａ  切欠き
２０ｂ  辺
２１，２３  短辺
２２，２４  長辺
３０  ワイヤロープ
３１  第１ワイヤロープ
３１ａ，３２ａ，３３ａ，３４ａ  一端
３１ｂ，３２ｂ，３３ｂ，３４ｂ  他端
３２  第２ワイヤロープ
３３  第３ワイヤロープ
３４  第４ワイヤロープ
４０  支持部材
４１  基板部
４２  柱状部
４３  抑え板部
４４  セパレータ
５０  補強部材
６０  フレーム部材
７１，７２  ターンバックル
８１，８２，８３，８４  締結具
１００  支持基台
【図１】
0006621361.tif 000002
【図２】
0006621361.tif 000003
【図３】
0006621361.tif 000004
【図４】
0006621361.tif 000005
【図５】
0006621361.tif 000006
【図６】
0006621361.tif 000007
【図７】
0006621361.tif 000008
【図８】
0006621361.tif 000009
【図９】
0006621361.tif 000010
【図１０】
0006621361.tif 000011
【図１１】
0006621361.tif 000012
【図１２】
0006621361.tif 000013
【図１３】
0006621361.tif 000014
【図１４】
0006621361.tif 000015
【図１５】
0006621361.tif 000016
【図１６】
0006621361.tif 000017